(57)【要約】【課題】スプールの定圧支持およびスプールの種類に応じた支持力の最適化により巻出し素線またはコードのテンションを安定させることができ、スプールセット作業の時間短縮を可能とするスプール支持具を提供する。【解決手段】スプール軸をその両端から枢支するスプール支持具１０において、スプール軸の少なくとも一端にて、先端部がテーパー形状に形成されたテーパーシャフト１が弾性的にスプール軸方向に押圧されてスプールＡを枢支する。【選択図】図１
2010260669.tif 000002
【特許請求の範囲】
【請求項１】
スプール軸をその両端から枢支するスプール支持具において、
前記スプール軸の少なくとも一端にて、先端部がテーパー形状に形成されたテーパーシャフトが弾性的にスプール軸方向に押圧されてスプールを枢支することを特徴とするスプール支持具。
【請求項２】
前記テーパーシャフトがスプリングにより弾装されている請求項１記載のスプール支持具。
【請求項３】
一対の前記テーパーシャフトにてスプールが枢支される請求項１または２記載のスプール支持具。
【請求項４】
前記テーパーシャフトが支柱に対しボールベアリングを介して枢支されている請求項１〜３のうちいずれか一項記載のスプール支持具。
【発明の詳細な説明】
【技術分野】
【０００１】
本発明は、スプール支持具に関し、詳しくは、スプールの定圧支持およびスプールの種類に応じた支持力の最適化により巻出し素線またはコードのテンションを安定させることができ、スプールセット作業の時間短縮を可能とするスプール支持具に関する。
【背景技術】
【０００２】
従来、撚線機でコードを撚る場合や、撚ったコードを次の工程に移す場合に、各種スプールを多数使用することが行われている。例えば、メッキ被覆鋼線を一旦スプールに巻き取り、次いでこれを巻き出して次工程でのカレンダー工程において通線作業を行うなど、タイヤのベルトやコンベアベルトの製造に際しては、複数のスプールの使用は不可欠である。
【０００３】
撚線機でコードを撚る場合やカレンダー工程では、撚り口の素線や撚りコードのテンションを安定させることが製品の品質上一番の課題となる。したがって、巻出しスプールの回転抵抗を安定させることが重要であり、さらに、巻出しスプールの回転抵抗を可能な限り低い値で安定させることで、その他テンション制御機器の調整代を確保することが可能となり、素線や撚りコードのテンションを安定させることが可能となる。
【０００４】
例えば、特許文献１では、各鋼線にかかるテンションばらつきを制御し、巻き長さを同一としてスプールに巻き取る方法の改良手段として、所定の条件下で定テンション装置を使用することが提案されている。
【先行技術文献】
【特許文献】
【０００５】
【特許文献１】特開２００２−３０９４９２号公報（特許請求の範囲等）
【発明の概要】
【発明が解決しようとする課題】
【０００６】
広く一般に使用されているねじ込み方式のスプール支持具においては、スプール支持力がテーパーシャフトのねじ込み量により決まるが、スプール支持力が弱い場合、回転ガタツキにより巻出しテンションが安定せず、最悪の場合、スプールが脱落するという問題がある。一方、スプール支持力が強い場合、両端テーパーシャフトからベアリングへの横方向荷重が増し、スプールの回転抵抗が大きくなってしまう。そのため、スプール満玉の場合と空玉に近い場合とで巻出し外径が異なるため、回転抵抗が大きいと巻出しテンション変動幅も大きくなる。また、特許文献１に記載されているような定テンション装置を設けることは設備的に大掛かりとなり、経済的に不利である。
【０００７】
そこで、ねじ込み方式のスプール支持具において、回転抵抗の低減や、その他テンション制御機器の調整を容易にするため、スプールの脱落が問題とならない程度において、スプール支持力を可能な限り弱くすることが望ましいが、実際には、テーパーシャフトのねじ込み量が直接にスプール支持力となるため、調整が困難である。
【０００８】
したがって、スプールを支持具にセットする作業は慎重に行う必要があり、長時間を要し、また、スプール支持力の微調整には作業者の熟練が必要になるため、作業者の技能によっては非常に困難であるといった問題があった。
【０００９】
そこで本発明の目的は、上記問題を解決して、スプールの定圧支持およびスプールの種類に応じた支持力の最適化により巻出し素線またはコードのテンションを安定させることができ、スプールセット作業の時間短縮を可能とするスプール支持具を提供することにある。
【課題を解決するための手段】
【００１０】
本発明者は、上記課題を解消するために鋭意検討した結果、スプール支持具を弾性作用を用いた特定構造とすることにより、上記目的を達成し得ることを見出し、本発明を完成するに至った。
【００１１】
すなわち、本発明のスプール支持具は、スプール軸をその両端から枢支するスプール支持具において、
前記スプール軸の少なくとも一端にて、先端部がテーパー形状に形成されたテーパーシャフトが弾性的にスプール軸方向に押圧されてスプールを枢支することを特徴とするものである。
【００１２】
本発明のスプール支持具においては、前記テーパーシャフトが、好ましくはスプリングにより弾装されている。また、一対の前記テーパーシャフトにてスプールが枢支されることが好ましい。さらに、前記テーパーシャフトが支柱に対しボールベアリングを介して枢支されていることが好ましい。
【発明の効果】
【００１３】
本発明によれば、スプール支持具を上記構成とすることにより、スプールの定圧支持およびスプールの種類に応じた支持力の最適化、即ち、可能な限り低い支持力の確保が可能となり、巻出し素線またはコードのテンションを安定させることができる。これにより、手動によるスプールセット作業の時間の短縮を図ることが可能となる。
【図面の簡単な説明】
【００１４】
【図１】本発明の一好適例のスプール支持具の側面図である。
【図２】本発明の一好適例のテーパーシャフト支持構造を示す断面図である。
【発明を実施するための形態】
【００１５】
以下、本発明の好適な実施の形態について詳細に説明する。
図１は、本発明のスプール支持具１０の側面図である。本発明のスプール支持具１０は、スプールＡのスプール軸をその両端から枢支するにあたり、かかるスプール軸の少なくとも一端にて、先端部がテーパー形状に形成された一対のテーパーシャフト１が弾性的に、好ましくはスプリングの作用によりスプール軸方向に押圧される。
【００１６】
従来のねじ込式のテーパーシャフトは、ねじ込み量が直接にスプール支持力となるため、スプール支持力を定圧に調整することが困難であったが、本発明においてはスプール支持力を弾性力で調整する構造としたことにより、テーパーシャフト１の押し込み量が減衰されてスプール支持力となるため、スプールの定圧支持調整が容易となる。また、弾性力に応じてスプール支持力を得ることができるため、スプールの種類に応じて、例えば、スプリングを選択することにより、最適なスプール支持力に調整することができる。その結果、巻出し素線またはコードのテンションを安定させることが可能となり、製品の品質が安定することになる。
【００１７】
また、スプリングを用いることは、スプール支持力を距離で表すことが可能となり、好ましい。したがって、距離という代替メジャーによりスプール支持力に対する設定基準が明確になり、作業者の熟練の程度によらず、一定のスプール支持力を制御することが可能となる。その結果、作業性の向上や、スプール支持力の微調整を容易に行うことができるようになる。
【００１８】
テーパーシャフト１は、支柱２に対しボールベアリングを介して枢支されていることが好ましい。これによりスプールＡの回転に伴いテーパーシャフト１自身も良好に回転するため、回転抵抗の低減により巻出し素線またはコードのテンションのより一層の安定化を図ることができる。
【００１９】
テーパーシャフト１が支柱２に対しボールベアリングを介して枢支されている好適構造を図２に示す。図２において、支柱２に組み込まれたねじ込みベース３の円筒状凹部の内側面にボールベアリング４を介してテーパーシャフトベース５が枢支されている。テーパーシャフトベース５内にはスプリング６が内蔵されており、このスプリング６がテーパーシャフト１の底部に形成された凸部端部のフランジ７をスプールＡの軸方向に弾性的に押圧している。このフランジ７は、スプールＡが存在しないときはスプリング６の作用により、テーパーシャフトベース５に形成された係止部８に弾性的に当接されている。スプールＡをスプール支持具１０に装着する際は、手動によりねじ込みベース３を回転させるねじ込み作用により、ねじ込みベース３を左右へ移動させて行う。
【００２０】
本発明のスプール支持具は、撚線機をはじめとする定テンション巻出しが要求されるスプールに対して適用が可能であり、特に、タイヤ等に用いられるスチールコードの撚線機や、カレンダー工程における通線作業に好適に適用することができる。
【符号の説明】
【００２１】
１  テーパーシャフト
２  支柱
３  ねじ込みベース
４  ボールベアリング
５  テーパーシャフトベース
６  スプリング
７  フランジ
８  係止部
１０  スプール支持具
Ａ  スプール
【図１】
2010260669.tif 000003
【図２】
2010260669.tif 000004